(57)【特許請求の範囲】
【請求項１】
基材と、この基材の表面側に吸水性を有する多孔質材が設けられてなる多孔質材層と、を含んで構成された外構部材を、横にして複数並列してなる外構構造物において、
前記複数の外構部材は、上下方向に長尺な垂直面に、互いに上下に間隔を空けて取り付けられており、
前記外構部材は、
前記垂直面に対して一定の角度で前方へ傾斜する上面部と、
前記上面部の先端部から前記上面部の下方側に折り返す折り返し部と、
前記上面部の基端部と前記折り返し部の折り返し方向先端部とを接続するとともに前記垂直面に取り付けられる接続部と、を有し、
前記折り返し部と前記接続部とによって、前記外構部材のうち最も下端部に位置する下方に膨らんだ部位を形成しており、
前記折り返し部は、前記下方に膨らんだ部位の先端側に位置し、かつ、前記下方に膨らんだ部位に向かって徐々に下がるように傾斜しており、
前記接続部は、前記下方に膨らんだ部位の基端側に位置し、かつ、前記下方に膨らんだ部位に向かって徐々に下がるように傾斜しており、
前記外構部材自体の奥行寸法に対する前記折り返し部の奥行寸法の割合は、前記外構部材自体の奥行寸法に対する前記接続部の奥行寸法の割合よりも大きく設定されていることを特徴とする外構構造物。
【請求項２】
請求項１に記載の外構構造物において、
前記複数の外構部材のうち最上部に位置する外構部材における前記基材は中空状に形成され、その前記接続部側面には、前記基材内部に水を導入するための開口部が形成され、前記下方に膨らんだ部位の付近には、前記基材内部に導入した水を、下方に隣り合う前記外構部材に垂らすための排水口が形成されていることを特徴とする外構構造物。
【請求項３】
請求項１または２に記載の外構構造物において、
前記垂直面を有するとともに、中空状に形成されて内部に給水管が通されるブラケットと、
前記ブラケットが取り付けられる上下方向に長尺な支持部材と、を備えており、
前記ブラケットは、前記外構部材に取り付けられる第一部材と、前記支持部材に取り付けられる第二部材と、が組み合わされることによって形成されていることを特徴とする外構構造物。
【請求項４】
請求項１〜３のいずれか一項に記載の外構構造物において、
前記複数の外構部材を垂直投影した場合における、上下に隣り合う前記外構部材同士の間隔は、下方の前記外構部材の下端部と上方の前記外構部材の下端部との間の距離に対して、所定の開口率に設定されており、
前記開口率は、前記外構構造物の設置地域に応じて、上下に隣り合う前記外構部材間を直達日射が通過する所定時間の太陽高度に基づくことを特徴とする外構構造物。
【請求項５】
請求項１〜４のいずれか一項に記載の外構構造物が、建物が建築される敷地内に設置されてなる外構構造物の設置構造であって、
前記外構構造物は、前記建物の外壁から離間して配置されており、
前記外構構造物と前記外壁との間は、周囲よりも温度を低くすることが可能なクールスポットとされていることを特徴とする外構構造物の設置構造。
【請求項６】
請求項５に記載の外構構造物の設置構造において、
前記建物は、前記クールスポットの上方に位置し、当該クールスポットへの日射を遮蔽するための日覆い部を備えることを特徴とする外構構造物の設置構造。
【請求項７】
請求項６に記載の外構構造物の設置構造において、
前記日覆い部は、前記建物の上階から張り出すバルコニーであることを特徴とする外構構造物の設置構造。
【請求項８】
請求項５〜７のいずれか一項に記載の外構構造物の設置構造において、
前記クールスポットは、保水性能を有する保水床部を備えることを特徴とする外構構造物の設置構造。
【請求項９】
請求項５〜８のいずれか一項に記載の外構構造物の設置構造において、
前記外構構造物は、前記建物の開口部に対向して設置されていることを特徴とする外構構造物の設置構造。
【発明の詳細な説明】
【技術分野】
【０００１】
本発明は、建物が建築される敷地内に設置される外構構造物および外構構造物の設置構造に関する。
【背景技術】
【０００２】
近年、省エネルギーや地球温暖化対策の観点から、空調機器や換気装置を用いずに、建物の各部屋の窓やドアを開放して自然換気を行うことによって建物内に快適な居住環境を形成したいという要望がある。
ところが、夏場においては建物内に導入する外気が温暖であるため、さらに市街地においてはヒートアイランド化現象による気温上昇のため、自然換気による効果を得にくい場合があった。
そこで、例えばフェンスや門、柵、手摺、ルーバー等の外構構造物を構成する外構部材として、吸水性を有する多孔質材層が表面に設けられたものが用いられている（例えば特許文献１参照）。
【０００３】
特許文献１における外構部材、またこれを用いた外構構造物によれば、外構部材表面の多孔質材層に水を含ませると、その水の気化熱によって外構構造物の表面および周囲の空気を冷却することができる。そして、冷却された空気を建物内に導入することによって夏場でも快適な居住環境を形成することができる。
なお、外構部材は、断面視において平行四辺形状または台形状に形成されており、上方から滴下される水を受ける傾斜した上面部と、この上面部から水が流れ落ちる一方の側面部が実質的な吸水面となっている。
【先行技術文献】
【特許文献】
【０００４】
【特許文献１】特開２０１４−１５００号公報
【発明の概要】
【発明が解決しようとする課題】
【０００５】
ところで、外構部材および外構構造物によって得られる冷却効果をより一層高めたいという要望があった。
そこで、冷却効果を高めるために吸水面をより広く確保することが考えられるが、外構部材を単に大型化してしまうと見栄えが悪くなるという問題があった。すなわち、上面部の奥行寸法を長くしたり、側面部の上下寸法を長くしたりすると、外構部材を正面から見た場合の上下方向の見付寸法が長くなってしまい、威圧感を与えるとともにシャープさに欠ける印象を与える場合がある。
【０００６】
本発明の課題は、外構構造物によって得られる冷却効果を従来に比して高めることができるとともに、威圧感をなくし、かつシャープな印象を与えることができる外構構造物および外構構造物の設置構造を提供することを目的とする。
【課題を解決するための手段】
【０００７】
請求項１に記載の発明は、例えば図１〜図１０に示すように、基材２と、この基材２の表面側に吸水性を有する多孔質材が設けられてなる多孔質材層４と、を含んで構成された外構部材１（１Ｂ〜１Ｄ）を、横にして複数並列してなる外構構造物１０において、
前記複数の外構部材１は、上下方向に長尺な垂直面１５に、互いに上下に間隔を空けて取り付けられており、
前記外構部材１は、
前記垂直面１５に対して一定の角度で前方へ傾斜する上面部５（５Ｂ〜５Ｄ）と、
前記上面部５の先端部から前記上面部５の下方側に折り返す折り返し部６（６Ｂ〜６Ｄ）と、
前記上面部５の基端部と前記折り返し部６の折り返し方向先端部とを接続するとともに前記垂直面１５に取り付けられる接続部７（７Ｂ〜７Ｄ）と、を有し、
前記折り返し部６と前記接続部７（７Ｂ〜７Ｄ）とによって、前記外構部材１のうち最も下端部に位置する下方に膨らんだ部位を形成しており、
前記折り返し部６は、前記下方に膨らんだ部位の先端側に位置し、かつ、前記下方に膨らんだ部位に向かって徐々に下がるように傾斜しており、
前記接続部７（７Ｂ〜７Ｄ）は、前記下方に膨らんだ部位の基端側に位置し、かつ、前記下方に膨らんだ部位に向かって徐々に下がるように傾斜しており、
前記外構部材１自体の奥行寸法Ｌ１に対する前記折り返し部６の奥行寸法Ｌ２の割合は、前記外構部材１自体の奥行寸法Ｌ１に対する前記接続部７（７Ｂ〜７Ｄ）の奥行寸法Ｌ３の割合よりも大きく設定されていることを特徴とする。
【０００８】
請求項１に記載の発明によれば、多孔質材は多数の細孔があり、表面張力が大きく、かつ吸水性を有するので、多孔質材層４に水が供給された場合に、この多孔質材層４に水を十分に含ませることができる。これによって、多孔質材層４に含まれた水の気化熱を利用して、外構部材１の表面、延いては外構構造物１０の周囲における気温を低下させることができる。
また、多孔質材層４に水を供給すれば、毛細管現象により水の拡散性を向上することができる。これによって、多孔質材層４を少量の水で効率良く濡らすことができるので、水の節約や省エネルギーに貢献できる。
また、例えば基材２が耐水性の低い製品であったとしても、この基材２の耐水性に関わりなく、多孔質材層４に水を供給することができ、冷却効果を発揮させることができる。そして、このように外構部材１の表面性状を変えるだけで保水性を向上できるので、基材２自体の構造強度や耐久性は維持される。
また、上面部５は、垂直面１５に対して一定の角度で前方へ傾斜しているので、上面部５にある水は、その傾斜方向の先端部（下端部：垂直面１５とは反対側の端部）側へと流れる。さらに、折り返し部６は、上面部５の先端部から上面部５の下方側に折り返しているので、上面部５を流れる水を折り返し部６に伝わせて下方に流し、当該折り返し部６の下端部から滴下させることができる。これによって、上方の外構部材１の上面部５を流れる水を、下方の外構部材１の上面部５へと確実に滴下させることができるので、外構構造物１０を構成する複数の外構部材１全体に上から順番に水を供給することができる。
また、接続部７は、上面部５の基端部（垂直面１５側の端部）と折り返し部６の折り返し方向先端部（垂直面１５側の端部）とを接続するとともに垂直面１５に取り付けられているので、外構部材１を垂直面１５に確実に取り付けることができる。
そして、外構部材１自体の奥行寸法Ｌ１に対する折り返し部６の奥行寸法Ｌ２の割合は、外構部材１自体の奥行寸法Ｌ１に対する接続部７の奥行寸法Ｌ３の割合よりも大きく設定されているので、折り返し部６の面積を広く確保することができる。すなわち、広い面積の折り返し部６を吸水面とすることができるので、外構構造物１０の周囲における空気の冷却効果を高めることができる。
さらに、このように折り返し部６の面積を広く確保することができれば、吸水面を広く確保するために、例えば上面部５の奥行寸法Ｌ１を長くしたり、折り返し部６の上下寸法を長くしたりする必要が無い。したがって、外構部材１を正面から見た場合の上下方向の見付寸法Ｌ４が長くなることを抑え、威圧感をなくし、かつシャープな印象を与えることができる。また、一つ一つの外構部材１がシャープな印象を与えることができれば、外構構造物１０全体としてもシャープな印象を与えることができる。
【０００９】
請求項２に記載の発明は、例えば図２，図３，図６に示すように、請求項１に記載の外構構造物１０において、
前記複数の外構部材１のうち最上部に位置する外構部材１における前記基材２は中空状に形成され、その前記接続部７側面には、前記基材２内部に水を導入するための開口部２ａが形成され、前記下方に膨らんだ部位の付近には、前記基材２内部に導入した水を、下方に隣り合う前記外構部材１に垂らすための排水口２ｂが形成されていることを特徴とする。
【００１０】
請求項２に記載の発明によれば、複数の外構部材１のうち最上部に位置する外構部材１における基材２は中空状に形成され、その接続部７側面には、基材２内部に水を導入するための開口部２ａが形成されているので、最上部に位置する外構部材１における基材２の内部に水を供給できるとともに、水を導入するための開口部２ａを隠すことができ、見映えが良い。
【００１１】
請求項３に記載の発明は、例えば図６，図７に示すように、請求項１または２に記載の外構構造物１０において、
前記垂直面１５を有するとともに、中空状に形成されて内部に給水管１７が通されるブラケット１２と、
前記ブラケット１２が取り付けられる上下方向に長尺な支持部材１１と、を備えており、
前記ブラケット１２は、前記外構部材１に取り付けられる第一部材１３と、前記支持部材１１に取り付けられる第二部材１４と、が組み合わされることによって形成されていることを特徴とする。
【００１２】
請求項３に記載の発明によれば、複数の外構部材１を、ブラケット１２を介して支持部材１１に取り付けることができ、支持部材１１によって確実に支持できる。
また、ブラケット１２は、外構部材１に取り付けられる第一部材１３と、支持部材１１に取り付けられる第二部材１４と、が組み合わされることによって形成されているので、第一部材１３と第二部材１４とを分け離した状態にすれば給水管１７をセットしやすくなり、給水管１７を第一部材１３と第二部材１４のどちらかにセットした状態で、これら第一部材１３と第二部材１４とを組み合わせてブラケット１２を形成すれば、給水管１７を、ブラケット１２の内部に容易に通すことができる。また、ブラケット１２の内部に給水管１７を隠すことができ、見映えが良い。
【００１３】
請求項４に記載の発明は、例えば図２，図１０に示すように、請求項１〜３のいずれか一項に記載の外構構造物１０において、
前記複数の外構部材１を垂直投影した場合における、上下に隣り合う前記外構部材１，１同士の間隔Ｌ６は、下方の前記外構部材１の下端部と上方の前記外構部材１の下端部との間の距離Ｌ７に対して、所定の開口率に設定されており、
前記開口率は、前記外構構造物の設置地域に応じて、上下に隣り合う前記外構部材間を直達日射が通過する所定時間の太陽高度に基づくことを特徴とする。
【００１４】
請求項４に記載の発明によれば、上下に隣り合う外構部材同士の間隔を、下方の外構部材１の下端部と上方の外構部材１の下端部との間の距離Ｌ７に対して、所定の開口率に設定し、その開口率を、外構構造物１０の設置地域に応じて、上下に隣り合う外構部材１，１間を直達日射が通過する所定時間の太陽高度に基づくものとしたので、散乱光が通過して明るさが確保できるとともに、外構部材を正面から見た場合に視線が抜けるようになる。また、その開口率次第では、確保できる明るさや視線の量を調節することができる。
さらに、上面部５の下方側に折り返す折り返し部６により、実際の開口率よりも開口部分が大きく感じられることから、該凹部材１の軽量感が増し、威圧感が軽減される。また先端部の形状から外構部材１にシャープな印象を与えることができる。
また、開口率次第ではあるが、夏期においては日の出後、日没前の太陽高度の低い時間帯を除く、日中の暑い時間帯における日射に対して十分に遮蔽する機能を有している。また、そのままの開口率の設定で、冬季においても日射が完全に遮蔽される時間帯を短時間に抑えることができる。したがって冬季の日射取得に対しても問題がなく、夏の日射遮蔽と冬に日射取得の両方を実現可能である。なお、これを実現するための開口率は、例えば３３％である。
【００１５】
請求項５に記載の発明は、例えば図３，図８，図９に示すように、請求項１〜４のいずれか一項に記載の外構構造物１０が、建物２０，３０が建築される敷地Ｓ１，Ｓ２内に設置されてなる外構構造物１０の設置構造であって、
前記外構構造物１０は、前記建物２０，３０の外壁から離間して配置されており、
前記外構構造物１０と前記外壁との間は、周囲よりも温度を低くすることが可能なクールスポット（テラス２１、坪庭３１）とされていることを特徴とする。
【００１６】
請求項５に記載の発明によれば、外構構造物１０は、建物２０，３０の外壁から離間して配置されており、外構構造物１０と外壁との間は、周囲よりも温度を低くすることが可能なクールスポットとされているので、クールスポット２１，３１は、外構構造物１０の冷却効果によって気温が低下した状態となり、夏期においてクールスポット２１，３１の快適性を向上させることができる。
【００１７】
請求項６に記載の発明は、例えば図３に示すように、請求項５に記載の外構構造物１０の設置構造において、
前記建物２０は、前記クールスポット２１の上方に位置し、当該クールスポット２１への日射を遮蔽するための日覆い部２８を備えることを特徴とする。
【００１８】
請求項６に記載の発明によれば、建物２０は、クールスポット２１の上方に位置し、当該クールスポット２１への日射を遮蔽するための日覆い部２８を備えるので、外構構造物１０の冷却効果によって気温が低下した当該クールスポット２１の温度上昇を抑えることができる。すなわち、クールスポット２１の気温を、外構構造物１０と日覆い部２８の相乗効果によって低下させることができる。
【００１９】
請求項７に記載の発明は、例えば図３に示すように、請求項６に記載の外構構造物１０の設置構造において、
前記日覆い部２８は、前記建物２０の上階から張り出すバルコニーであることを特徴とする。
【００２０】
請求項７に記載の発明によれば、日覆い部２８は、建物２０の上階から張り出すバルコニーであるため、バルコニー２８と日覆い部２８としての二つの機能を有することになり、日覆い部としての一つの機能しか持たないものに比して都合が良く、無駄がない。
【００２１】
請求項８に記載の発明は、例えば図３，図８に示すように、請求項５〜７のいずれか一項に記載の外構構造物１０の設置構造において、
前記クールスポット２１は、保水性能を有する保水床部２１ａを備えることを特徴とする。
【００２２】
請求項８に記載の発明によれば、クールスポット２１は、保水性能を有する保水床部２１ａを備えるので、外構構造物１０だけでなく、保水床部２１ａによる空気の冷却効果を得ることができ、当該クールスポット２１の気温を低下させることができる。すなわち、クールスポット２１の気温を、外構構造物１０と保水床部２１ａの相乗効果によって低下させることができる。
【００２３】
請求項９に記載の発明は、例えば図８，図９に示すように、請求項５〜８のいずれか一項に記載の外構構造物１０の設置構造において、
前記外構構造物１０は、前記建物２０，３０の開口部２３ａ，２７ａ，３７ａに対向して設置されていることを特徴とする。
【００２４】
請求項９に記載の発明によれば、外構構造物１０は、建物２０，３０の開口部２３ａ，２７ａ，３７ａに対向して設置されているので、外構構造物１０の周囲における空気の冷却効果を、開口部２３ａ，２７ａ，３７ａを通じて建物２０，３０内にも行き渡らせることができる。これによって、特に夏場において自然換気を行う際に、冷えた空気が開口部２３ａ，２７ａ，３７ａを通じて建物２０，３０内に導入されるので、建物２０，３０内に快適な居住環境を形成することができる。
また、シャープな印象を与えることが可能な外構構造物１０が、開口部２３ａ，２７ａ，３７ａから見えることになるので、建物２０，３０内から外構構造物１０を見る人に対してもシャープな印象を与えることができる。
【発明の効果】
【００２５】
本発明によれば、外構構造物によって得られる冷却効果を従来に比して高めることができるとともに、シャープな印象を与えることができる。
【図面の簡単な説明】
【００２６】
【図１】外構部材の複数の例を示す断面図である。
【図２】外構構造物の上端部を示す断面図である。
【図３】外構構造物の設置状態を示す斜視図である。
【図４】複数の外構部材をパネル化した状態を示す斜視図である。
【図５】複数の外構部材を支持部材に対して取り付ける際の状態を示す斜視図である。
【図６】支持部材に対して取り付けられる複数の外構部材の一部を拡大して示す斜視図である。
【図７】支持部材に対して取り付けられる複数の外構部材の一部を拡大して示す断面図である。
【図８】建物が建築される敷地に外構構造物が採用された例を示す図である。
【図９】建物が建築される敷地に外構構造物が採用された他の一例を示す図である。
【図１０】上下に隣り合う外構部材同士の間隔について説明する図である。
【発明を実施するための形態】
【００２７】
以下、図面を参照して本発明の実施の形態について説明する。
図１等において符号１は、外構部材を示す。なお、外構部材１とは、住宅等の建物の外回りにある各種外構構造物等に使用される建材を指している。また、外構構造物としては、例えばフェンスや門扉、柵、手摺、ルーバー装置、垣根、塀、車庫、ガレージ、土間、アプローチ、アクセントウォール、パーゴラ、デッキ、舗装材、各種柱、物置等、様々なものが挙げられる。さらに、このような外構構造物としては、建物の庭等の敷地に設置されるものだけでなく、バルコニーの柵や手摺等も含むものとする。
【００２８】
まず、外構部材１を構成する材料特有の性質・機能等について説明する。
本実施の形態の外構部材１は、上述の外構構造物を構成するものであり、基材２と、この基材２の表面に設けられた親水性を有する接着層３と、この接着層３の表面に吸水性を有する多孔質材が設けられてなる多孔質材層４と、を含んで構成されている。
また、接着層３は、外構部材１自体を構成する基材２の表面に設けられているものとする。つまり、この基材２とは、接着層３を設けるための支持体、または基盤としての役割を果たすものである。
したがって、この基材２が新規に製造されたものであるか、既存ものであるかについては何ら限定されるものではない。つまり、本実施の形態の外構部材１は、新規製造したものであってもよく、既存の基材２の表面に接着層３と多孔質材層４とを設けたものであってもよい。換言すれば、本実施の形態の外構部材１は、外構構造物の新設時にも利用でき、リフォーム時にも利用できることとなる。
【００２９】
基材２は、本実施の形態においてはアルミニウム等の金属からなる長尺な押出成形品が採用されており、中空筒状に形成されるとともに、断面形状が四角形に形成されている。
なお、この基材２の種類としては、アルミニウム等の金属だけでなく、外構用の建材として市場に流通しているもの、既存の製品の全てを採用することができるとともに、その形状も限定されるものではない。すなわち、その他の金属製のものや木製のもの、樹脂製のもの、セラミック等、様々なものが挙げられる。
【００３０】
接着層３は、基材２と多孔質材層４との間に介在し、多孔質材を基材２の表面に接着する接着剤からなる層である。
接着層３を構成する接着剤としては、例えば基材２への密着性、耐水性、耐候性に優れ、長期の屋外暴露においても劣化が少ないシリコーン樹脂系組成物を応用したものが用いられている。このような接着剤によれば、シリコーン樹脂系組成物を応用したものであるため、長期の屋外暴露においても劣化が少ないので、基材２の表面を保護するのに好適である。
シリコーン樹脂系組成物としては、例えば、シリコーン樹脂、シリコーン樹脂の硬化触媒、変成シリコーン樹脂または／およびエポキシ樹脂を含有するもの等が用いられている。
このような接着層３によれば、多孔質材層４に供給された水が接着層３に到達した場合に、この水を撥水することができるので、外構部材１が少しでも傾斜さえしていれば、水を外構部材１の傾斜方向下端部に向かって流すことができる。
【００３１】
接着層３を構成する親水性を有する塗材としては、ＪＩＳＡ  ６９０９に規定される合成樹脂エマルジョン系塗材であるところの、外装薄塗材Ｅ、可とう形外装薄塗材Ｅ、外装厚塗材Ｅであって乾燥後の塗材表面が親水性であるものが好ましく、親水性の有無は、水平に保持した塗材表面に水を滴下した際、該水が濡れ広がる状態であれば親水性を有すると判断し、該水が少なくとも半球状に保持されて濡れ広がらない状態にあれば親水性を有しないと判断する。
接着層３は、上記の塗材によって構成されるため、塗材層３と称してもよい。
【００３２】
該塗材の合成樹脂エマルジョンは、アクリル酸エステル共重合系樹脂、酢酸ビニル樹脂、エチレン・酢酸ビニル系樹脂、酢酸ビニル系アクリル酸エステル系樹脂、エチレン・塩化ビニル系樹脂、シリコン変性アクリル系樹脂、ウレタン系樹脂等の樹脂エマルジョンが使用でき、成膜助剤無添加で、施工時温度以下の成膜温度を持つか、成膜助剤の添加により、塗布環境下で成膜条件を達成すれば良い。これらには架橋タイプ、粉末型のエマルジョン等であっても使用できる。このうちアクリル酸エステル共重合系樹脂等のアクリル樹脂系エマルジョンが塗材乾燥後の塗膜物性よく、好ましい。成膜助剤としてはテキサノール等が挙げられる。
【００３３】
また、該親水性を有する塗材には、充填剤、骨材、着色顔料が配合されていても良い。
なお、ここで言う充填剤はその平均粒径が１００μｍ未満のものをいい、１００μｍ以上のものを骨材としている。この他にも充填剤や着色顔料等を均一に分散させるための分散剤や、塗材中の巻き込み等による泡を消すための消泡剤や、防黴剤等が配合されていてもよい。該親水性を有する塗材の市販品としては、ジョリパットＪＰ−１００、ＪＱ−６５０（商品名、アイカ工業株式会社製）がある。
【００３４】
親水性を有する塗材は、基材２の表面に塗布されるが、基材２との接着性を確保させることを目的としてシーラーを塗布し乾燥後に該親水性を有する塗材を塗布しても良い。親水性を有する塗材を塗布した後は、該塗材表面が乾燥する前に前記多孔質材を吹付け等により表面に押し付けるようにして配設する。
【００３５】
また塗材層３に配設された多孔質材の表面には親水性部が設けられ、該親水性部は、多孔質材の表面に親水性塗料を吹付けて塗布することによって形成することが出来る。吹付けて塗布する目的は、小さな多孔質材の全体が被覆されて多孔質材の吸水性が無くなることを避けるためであり、多孔質材の表面に部分的に点状に親水性部を設けるためである。吹付け以外の手段により、点状若しくは多孔質材の表面に一部が現れている状態に親水性部を設けることができるのであれば、親水性塗料を塗布する手段は吹付けに限られない。
【００３６】
また親水性部は、長期にわたって該親水性を保持することが望ましく、該長期にわたって親水性を保持する親水性塗料としては光触媒塗料がある。親水性部が長期にわたって親水性を保持することにより、本願発明に係る冷却効果は結果として耐久性を有するものとなる。もちろん、親水性部は、多孔質材が表面に配設されていない接着層３の上に形成されていても良い。これは、接着剤層３は親水性があるので、さらに親水性を付与する必要性は低いが、接着層３の表面に隙間が生じた状態で多孔質材が配設された場合は、該多孔質材の表面だけに親水性塗料を吹付けることは難しいためである。
【００３７】
また光触媒塗料により親水性部が形成されるブイは多孔質材の表面であり、多孔質材に上記無機質発泡ガラスを使用すれば、光触媒酸化チタンの有機質分解作用は該多孔質材には影響がなく、また無機質発泡ガラスが空気中の埃や排気ガス等の有機物質により汚れても、該光触媒の有機質分解作用により、表面は清浄に保持されるとともに親水性が保持される。光触媒塗料には、例えば特許第４１０７５１２号に示される光触媒酸化チタンからなる水系塗料があり、市販の該光触媒塗料には、クリーンマジック  トップコートＪＣ−５００ＴＰ（商品名、アイカ工業株式会社製、二酸化チタンーペルオキソチタン酸水溶液、二酸化チタン０．８〜０．９重量％）がある。
【００３８】
なお、本実施の形態では接着層３を親水性のある状態としたが、これに限られるものではなく、疎水性を有するものとしてもよい。
【００３９】
多孔質材層４は、吸水性を有する多孔質材によって接着層３の表面を塗膜することによって構成されている。なお、多孔質材は、接着層３の表面に対して吹き付けられている。
多孔質材層４を構成する多孔質材としては、例えば、珪藻土を焼き固めたイソライトや、蛭石、ガラスを主原料とした無機質発泡バルーンが好適に用いられる。このような多孔質材は、親水性で表面張力が大きく、かつ一つ一つに数μｍ〜数十μｍの多数の細孔があり、これら細孔が吸水するため、吸水性を有する。また、多数の細孔に入った水は、水の表面張力により細孔内に保持されることになり、これら細孔内に入った水や隣接する多孔質材間に溜まった水が蒸発することになる。
また、多孔質材は、接着層３の表面に密集して設けられている。すなわち、多孔質材は、接着層３の表面に隙間無くびっしりと集まり、密度が高い状態となっている。したがって、外構部材１の表面視においては、接着層３は、密集する多孔質材の隙間からは略見えない状態となっている。
なお、本実施の形態では、多孔質材は接着層３の表面に密集して設けられるものとしたが、これに限られるものではなく、接着層３において水が濡れ広がる際の程度に応じて適宜変更してもよい。
【００４０】
ここで、外構部材１の表面形状は、上述のように親水性であり、表面張力が大きいものが良い。具体的には、外構部材１表面に水を滴下した時の接触角θが９０度以下である必要がある。接触角θが９０度以下であれば、ウェンゼル理論により、表面を粗面化することによって部材の表面張力を高め、水の拡散性を向上することができる。
そして、このような物性と意匠的な観点から、部材表面に０．１〜１ｍｍ程度の粒度の骨材を塗布すると効果的である。
骨材は、ミクロレベルの細孔を有する多孔質材であり、その細孔に水が保持される素材であることが望ましい。吸水率が１０％以上であると、灌水停止後も、細孔内にたまった水が蒸発し、蒸発冷却効果を任意の時間、維持することができる。また、空隙率によって吸水率が異なるため、蒸発冷却効果の持続時間の期待値によって任意の空隙率を持つ多孔質材を選定して塗布することで蒸発冷却効果を調整できる。
多孔質材の粒径分布は孔径が小さいほど毛細管力が大きく、また径が大きいほど毛細管力が小さいが、細孔に溜まった水が屋外環境下で適度に蒸発散を繰り返すためには、毛細管力の大きさから、孔径が１〜１００μ程度の間で分布していることが望ましい。
【００４１】
以上のような本実施の形態の外構部材１によれば、建物内に導入される外気を冷却する効果を発揮できるとともに、周辺環境よりも体感温度の低いクールスポット（涼しい微気候空間）を形成することが可能であり、さらに、スペースが限られる戸建住宅等であっても導入しやすい。すなわち、多孔質材は多数の細孔があるため、表面張力が大きく、かつ吸水性を有するので、多孔質材層４に水が供給された場合に、この多孔質材層４に水を十分に含ませることができる。これによって、多孔質材層４に含まれた水の気化熱を利用して基材２を冷却することができ、これに伴って周囲の気温を低下させることができる。
そして、このような外構部材１によって外構構造物１０を構成すれば、外構構造物の周囲の空気を冷却する効果を発揮できるので、建物内の自然換気を行う際に、冷却された外気を建物内に導入できることとなる。したがって、たとえ夏場であっても、空調機器や換気装置を用いずに、建物内に快適な居住環境を形成することができ、延いては省エネルギーや地球温暖化対策に貢献することが可能となる。しかも、例えばレンガ等の多孔質壁材に比して軽量であり、かつ形状の自由度が高い。このため広範囲にわたって用いることが可能であり、冷却対象空間における冷却面の形態係数を大きく取ることができる。これによって、住宅等の建物の外回りに、体感温度が周辺環境よりも低くなるクールスポット（後述するテラス２１、坪庭３１）を形成できる。そして、このように外回りに涼しい環境を形成できれば人の滞在時間が長くなることが期待され、屋内から屋外に出て過ごす時間が増えることで空調機器の稼働時間を短縮し、結果的に、省エネルギーや地球温暖化対策に貢献することが可能となる。
【００４２】
また、外構部材１は、基材２と、接着層３と、多孔質材層４とを含んで構成されているものであるため、当該外構部材１は、新規に製造した部材に限られるものではなく、既存の部材にも適用することが可能となる。つまり、既存の外構部材１であっても、この既存の外構部材１に対して接着層３と多孔質材層４とを備えさせ、この多孔質材層４に水を含ませることで容易に冷却効果を得ることができる。
【００４３】
さらに、多孔質材層４は、接着層３の表面に吸水性を有する多孔質材が密集して設けられてなるので、多孔質材層４に水を供給すれば、毛細管現象により水の拡散性を向上することができる。これによって、多孔質材層４を少量の水で効率良く濡らすことができるので、水の節約や省エネルギーに貢献できる。
また、このように水の拡散性が高いので、例えば外構部材１の多孔質材層４を鉛直面に配置した場合でも所謂“水みち”ができにくい。すなわち、水みちができると、蒸発冷却面が限定的になり、冷却効果が低下することに加え、雨染みのように部分的に色が変わってしまうため、多孔質材層４の水の拡散性が高ければ、このような部分的な変色を防ぎ、景観性の低下を防ぐことができる。
【００４４】
また、親水性を有する接着層３は、基材２と多孔質材層４との間に介在し、表面は親水性を有するものの吸水はしないため、例えば基材２が耐水性の低い製品であったとしても、この基材２の耐水性に関わりなく、多孔質材層４に水を供給することができ、冷却効果を発揮させることができる。そして、このように外構部材１の表面性状を変えるだけで保水性を向上できるので、基材２自体の構造強度や耐久性は維持される。また、多孔質材層４だけに水が含まれるので、凍結融解による前記基材２の破損を防ぐことができる。
また、疎水性を有する接着層の場合も同様の効果を発揮することができる。
【００４５】
また、基材２として、外構用の建材として市場に流通しているもの、既存の製品の全てを採用することができるので、外構部材１の技術は、場所や用途を選ばず、多様な面に展開することができる。このため、外構部材１の技術を様々な場所や用途に適用すれば、冷却面積を広く取ることもできる。これにより、人が滞在する空間において、冷却面の形態係数を高めることができるため、人の体感温度（作用温度）を下げることができる。
なお、本実施の形態における冷却面もしくは蒸発冷却面とは、外構部材１のうち、多孔質材層４が露出する部分を指すものとし、多孔質材層４が設けられない部分、多孔質材層４が隠れる部分等は該当しないものとする。
【００４６】
次に、以上のような外構部材１を用いて構成される外構構造物について説明する。
本実施の形態の外構構造物は、図１〜図９に示すように、外構部材１を横にして、複数並列してなるルーバー装置１０である。すなわち、複数の外構部材１は、ルーバー装置１０における複数の羽板である。
ルーバー装置１０は、複数の外構部材１の他に、これら複数の外構部材１を支持する支持部材である複数の支柱１１と、複数の外構部材１を支柱１１に取り付けるためのブラケット１２と、水の供給手段と、を備える。
なお、複数の外構部材１は、上下方向に互いに間隔を空けて並列しており、隣り合う外構部材１，１間に形成された隙間を空気が通り抜けるようになっている。
【００４７】
支持部材である支柱１１は、上下方向に長尺な金属製の角筒体である。その上端開口部にはエンドキャップ１１ａが嵌められて閉塞されており、下端部は、根巻コンクリート（図示せず）が施されて地中に埋設される。
この支持部材１１には、その長さ方向に沿ってブラケット１２が取り付けられる。
なお、本実施の形態のルーバー装置１０において、支柱１１は、複数の外構部材１の長さ方向両端部の位置に対応して設けられて、複数の外構部材１を安定的に支持している。すなわち、複数の外構部材１を安定的に支持するために、少なくとも二本の支柱１１が使用されている。
【００４８】
ブラケット１２は、外構部材１に取り付けられる第一部材１３と、支持部材である支柱１１に取り付けられる第二部材１４と、が組み合わされることによって形成されている。
また、これら第一部材１３と第二部材１４とが組み合わされて形成されたブラケット１２は中空状に形成された状態となっており、その内部には給水管１７（後述する）が通される。
【００４９】
第一部材１３は、上述のように外構部材１に取り付けられるものである。裏を返せば、外構部材１が取り付けられるものでもある。
また、本実施の形態の第一部材１３は、外構部材１が取り付けられるべき垂直面１５を有する。
より詳細に説明すると、第一部材１３は、図６，図７に示すように、断面コ字状に形成された金属製の長尺材である。当該第一部材１３は、自身の一面側が垂直面１５とされた中央板部１３ａと、この中央板部１３ａの幅方向両端部のそれぞれから垂直面１５とは反対の方向に突出する側板部１３ｂと、を備える。
【００５０】
また、第一部材１３の長さは、横にして並列する複数の外構部材１のうち、数本の外構部材１とその数本の外構部材１同士の間の隙間分の長さに設定されている。
すなわち、数本の外構部材１は、図４（ａ），（ｂ）に示すように、第一部材１３によって互いに連結されてパネル化されている（パネルＰ１，Ｐ２）。第一部材１３は、その中央板部１３ａが複数の外構部材１のそれぞれに対してビス止めされている。
ルーバー装置１０は、このように数本の外構部材１がパネル化されたものＰ１，Ｐ２を支柱１１の長さ方向に沿って複数取り付けることによって形成されることになる。
なお、パネルＰ１は、最上部に位置する外構部材１を含む合計４本の外構部材１と第一部材１３からなるものであり、パネルＰ２は、最上部に位置する外構部材１を含まない合計５本の外構部材１と第一部材１３からなるものである。また、外構部材１の本数は適宜変更可能であり、第一部材１３は、使用される外構部材１の本数によって長さが変更される。
【００５１】
第二部材１４は、図５，図６に示すように、支柱１１の一側面の長さ方向に断続的に取り付けられる断面コ字状に形成された金属製のアングル材である。当該第二部材１４は、第一部材１３の中央板部１３ａに対向するとともに支柱１１に固定される中央板部１４ａと、この中央板部１４ａの幅方向両端部のそれぞれから支柱１１の一側面とは反対の方向に突出する側板部１４ｂと、を備える。
中央板部１４ａの幅寸法は、図７に示すように、第一部材１３の中央板部１３ａよりも短く設定されている。
また、両側板部１４ｂの位置も、第一部材１３の両側板部１３ｂよりも中央寄りに配置されている。
【００５２】
第一部材１３と第二部材１４は、第二部材１４が、第一部材１３の中央板部１３ａと両側板部１３ｂとによって囲まれる空間に嵌合されることによって組み合わされる。
この時、第二部材１４の両側板部１４ｂにおける外側面と、第一部材１３の両側板部１３ｂにおける内側面とが重なり合う。そして、これら重なり合う両側板部１３ｂ，１４ｂ同士がビス止めされる。
また、第二部材１４の両側板部１４ｂは、第一部材１３と第二部材１４とが組み合わされた時に、第一部材１３の中央板部１３ａに当接するように設定してもよい。すなわち、中央板部１３ａ，１４ａ同士の間隔は、第二部材１４における両側板部１４ｂの、第一部材１３側への突出寸法に基づいて設定されることになる。
以上のように組み合わされた第一部材１３と第二部材１４との間には、給水管１７が通される内部中空部が形成される。
なお、第二部材１４は、支柱１１の一側面の長さ方向に断続的に取り付けられるため、内部中空部は、支柱１１の一側面も利用して形成されている。ただし、本実施の形態とは異なる実施形態として、第二部材１４を支柱１１の一側面の長さ方向に長尺に形成する場合はこれに限られるものではない。
また、第二部材１４は、支柱１１の一側面の長さ方向に断続的に取り付けられる際に、上下に隣接する第一部材１３，１３同士の境界を跨ぐ位置に合わせて配置されるものがある。
【００５３】
なお、ブラケット１２は、以上のような構成に限定されるものではなく、本発明の主旨を逸脱しない範囲で適宜変更可能である。すなわち、複数の外構部材１を支柱１１に対して取り付けることができるとともに、給水管１７を通す内部中空部が形成されるような構成であればよい。
また、第一部材１３と第二部材１４は双方とも断面コ字状であるため、ブラケット１２の上端部は開口した状態となっているが、この上端開口部は、エンドキャップ１１ａによって支柱１１の上端開口部と共に塞がれた状態となる。
【００５４】
水の供給手段は、図２，図３，図６に示すように、給水源１６と、給水管１７と、コントローラ１８と、を有する。
【００５５】
給水源１６は外水道（立水栓）であり、また、本実施の形態においては２口水栓が採用され、特に一方の水栓を潅水用に使用している。そして、当該一方の水栓には給水管１７が接続されている。
なお、本実施の形態において給水源１６は外水道としたが、これに限られるものではなく、例えば雨樋から流れる雨水を給水源としてもよい。このような場合は、雨水をタンクに一旦貯留して、これをポンプで汲み上げて使用してもよいし、雨樋からの雨水を、竪樋等を介して直接的にルーバー装置１０に供給してもよい。いずれの場合も、雨水には不純物等が混ざっているため、濾過してから使用することが望ましい。竪樋等を介して雨水を供給する場合においては、雨樋からルーバー装置１０までの間に濾過装置が組み込まれることが好ましい。
【００５６】
給水管１７は、給水源１６からルーバー装置１０まで伸び、さらに支柱１１に取り付けられたブラケット１２の内部中空部に下方から上方に向かって通されている。そして、この給水管１７は、複数の外構部材１のうち最上部に位置する外構部材１まで続いている。
なお、給水管１７としては、金属や樹脂の硬質管が用いられてもよいし、樹脂の軟質チューブが用いられてもよく、接続用の管を利用してこれらを併用してもよい。
さらに、最上部に位置する外構部材１まで配置された給水管１７の先端には、水を吹き出す吹出口が長さ方向に点在して設けられた潅水用チューブ１７ａが接続されている。
【００５７】
コントローラ１８は、給水管１７の基端部（水栓のある側）付近や、給水管１７のうちルーバー装置１０に達するまでの間の途中部分に設けられる。本実施の形態においては給水管１７の基端部に設けられている。
そして、このコントローラ１８によって、給水源１６からルーバー装置１０へと流れる水の量や供給・ストップを制御することができる。また、計時機能や温湿度測定機能を具備することによって、水の供給・ストップをタイマー制御したり、温湿度等の周囲の環境に基づいて制御したりすることができる。
【００５８】
なお、複数のルーバー装置１０を、互いに直交する方向に配置してもよい。また、図示はしないが、複数のルーバー装置１０を横並びに直線状に配置したり、平行に配置したりしてもよい。
図３に示す例は、複数のルーバー装置１０を、平面視においてＬ字状となるように、互いに直交する方向に配置したものである。このような場合は、給水源１６から水の供給を受ける一方のルーバー装置１０から、他方のルーバー装置１０へと潅水用チューブ１７ａが伸びている。
より詳細には、一方のルーバー装置１０における複数の外構部材１のうち最上部位置する外構部材１から、他方のルーバー装置１０における複数の外構部材１のうち最上部に位置する外構部材１へと、潅水用チューブ１７ａが伸びた状態になっている。そして、一方のルーバー装置１０に潅水を行うことによって、同時に、他方のルーバー装置１０にも潅水を行うことができる。
このように複数のルーバー装置１０を互いに直交する方向に配置した場合には、太陽光が、一方のルーバー装置１０から他方のルーバー装置１０に抜ける場合がある。このような場合には、一方のルーバー装置１０の正面側からと、他方のルーバー装置１０の背面側から、複数の外構部材１における水の蒸発を促すことができる。これにより、双方のルーバー装置１０のいずれかが、比較的日当たりの悪い場所に設置されていたとしても、その冷却効果を発揮することができるので好ましい。
【００５９】
次に、ルーバー装置１０に取り付けられる外構部材１の形状や取付形態、またはそれによる機能等について、より詳細に説明する。
図１は、外構部材１の複数の例を示す断面図であり、図１（ａ）に示す外構部材１が、図２に示すように本実施の形態の外構構造物であるルーバー装置１０に採用されている。ルーバー装置１０に採用される外構部材は、図１（ａ）に示すものに限られず、図１（ｂ）〜（ｄ）に示すものに適宜変更してもよい。
外構部材１は、上述のように基材２と、接着層３と、多孔質材層４と、を含んで構成されるものであるが、図１，図２等に示すように外構部材１全体を見た場合に、その部位として、上面部５と、折り返し部６と、接続部７と、を有する。また、各外構部材１の両端部は開口しているが、エンドキャップによって塞がれた状態となる。
なお、図１（ｂ）〜（ｄ）に示す外構部材１（１Ｂ〜１Ｄ）おいては、基材２、接着層３、多孔質材層４の表現を省略しているが、図１（ａ）に示す外構部材１と同様に、基材２と、接着層３と、多孔質材層４と、を含んで構成されているものとする。
【００６０】
上面部５は、外構部材１の上面の部位を指しており、垂直面１５に対して一定の角度で前方へ傾斜している。
より詳細には、上面部５は、第一部材１３の中央板部１３ａの一面側である垂直面１５に対し、垂直面１５から離間するに従って徐々に下がるように傾斜している。そして、水は、この上面部５を伝って傾斜方向先端部に向かって流れる。
なお、図１（ａ）に示す本実施の形態のルーバー装置１０に採用される外構部材１の上面部５は、その基端部（垂直面１５側の端部）から傾斜方向先端部にかけて真っ直ぐに傾斜しているが、これに限られるものではない。図示はしないが、例えば断面視においてカーブして形成されてもよいし、階段状に形成されてもよい。すなわち、上面部５にある水が、垂直面１５側の端部から離れるに従って下方に流れるように傾斜していればよいものとする。
【００６１】
折り返し部６は、外構部材１のうち下方に膨らんだ部位の先端側であって、かつ上面部５の先端部から上面部５の下方側に折り返す部位を指している。上面部５を伝って流れてきた水は、この折り返し部６を伝ってさらに下方へと流れる。
折り返し部６の下端部に到達した水は、この折り返し部６の下端部から垂れて、下方に隣り合う外構部材１の上面部５へと落ちる。
なお、図１（ａ）に示す本実施の形態のルーバー装置１０に採用される外構部材１の折り返し部６は、その上端部（上面部５の先端部と一体の端部）から下端部（垂直面１５側の端部）にかけて真っ直ぐに傾斜しているが、これに限られるものではない。図１（ｂ）に示すように、例えば断面視においてカーブして形成されてもよいし、図示はしないが階段状に形成されてもよい。すなわち、折り返し方向先端部（垂直面１５側の端部）に向かって水が流れればよいものとする。
【００６２】
接続部７は、外構部材１のうち下方に膨らんだ部位の基端側（垂直面１５側）であって、かつ上面部５の基端部（垂直面１５側の端部）と折り返し部６の折り返し方向先端部（垂直面１５側の端部）とを接続する部位を指している。また、接続部７は、外構部材１のうち垂直面１５に取り付けられる部位である。
上面部５に垂れた水の量が多く、上面部５の先端部側に流れる前に垂直面１５側に溢れた水が接続部７へと伝わるようになっている。接続部７へと伝わった水は、当該接続部７の下端部へと伝わっていき、最終的に、折り返し部６の下端部から垂れる水と共に、下方に隣り合う外構部材１の上面部５へと垂れ落ちる。
なお、図１（ａ）に示す本実施の形態のルーバー装置１０に採用される外構部材１の接続部７は、その上端部（上面部５の基端部と一体の端部）から下端部（折り返し部６の下端部と一体の端部）にかけて、垂直面と傾斜面とを有するように形成されているが、これに限られるものではない。図１（ｂ），（ｃ）に示すように真っ直ぐに傾斜していてもよいし、図１（ｄ）に示すように、より多くの角を有するように形成されてもよい。また、図示はしないがカーブ状やジグザグ状に形成されてもよい。すなわち、自身の下端部に向かって水が流れればよいものとする。
【００６３】
なお、複数の外構部材１のうち最上部に位置する外構部材１における基材２は中空状に形成され、その接続部７側面には、基材２内部に水を導入するための開口部２ａが形成されている。すなわち、基材２内部には、図２，図３，図６に示すように、開口部２ａを通じて潅水用チューブ１７ａが挿入されており、水を導入することができるようになっている。
また、最上部に位置する外構部材１の接続部７には、下方に隣り合う外構部材１に水を垂らすための排水口２ｂが、接続部７の長さ方向に点在するように形成されている。
【００６４】
そして、図１に示すように、外構部材１自体の奥行寸法Ｌ１に対する折り返し部６の奥行寸法Ｌ２の割合は、外構部材１自体の奥行寸法Ｌ１に対する接続部７の奥行寸法Ｌ３の割合よりも大きく設定されている。
換言すれば、ブラケット１２（または垂直面１５）に接触する接続部７を除く、表面（多孔質材層４）の面積を広く確保するために、外構部材１自体の奥行寸法Ｌ１に対する折り返し部６の奥行寸法Ｌ２を長くすることによって、外構部材１の表面積のうち、折り返し部６の占める面積が極力広く確保されている。延いては、多孔質材層４である吸水面が極力広く確保されたことになる。
また、このように外構部材１自体の奥行寸法Ｌ１に対する折り返し部６の奥行寸法Ｌ２を長くすることで吸水面を広く確保する構成を採用すれば、上下方向の見付寸法Ｌ４を変更する必要もなくなる。すなわち、図１（ａ）〜（ｄ）の各例において、折り返し部６の奥行寸法Ｌ２と接続部７の奥行寸法Ｌ３が、それぞれ異なっていても、上下方向の見付寸法Ｌ４は等しいことが示されている。
また、例えば図１（ａ）に示す外構部材１を例に挙げて説明すると、外構部材１自体の奥行寸法Ｌ１と、上下方向の見付寸法Ｌ４を変更せずに、折り返し部６の奥行寸法Ｌ２を、接続部７の奥行寸法Ｌ３よりも長く保った状態で任意に変更させてもよい。このようにすると、外構部材１の突端部（垂直面１５とは反対側の端部）が細くなり、シャープな印象を与えることができる。
【００６５】
また、図２，図１０に示すように、複数の外構部材１を垂直投影した場合における、上下に隣り合う外構部材１，１同士の間隔Ｌ６は、下方の外構部材１の下端部と上方の外構部材１の下端部との間の距離Ｌ７に対して、所定の開口率に設定されている。
本実施の形態においては、外構部材１，１同士の間隔は垂直投影面積に対する開口率、すなわち、Ｌ６／Ｌ７が「３３％」となるように設定されている。
これにより、外構構造物１０において、散乱光が通過し明るさが確保できるとともに、外構部材１を正面から見た場合に視線が抜けるようになる。さらに上面部５の下方側に折り返す折り返し部６により、実際の開口率よりも開口部分が大きく感じられることから、外構部材１の軽量感が増し、威圧感が軽減される。また先端部の形状から外構部材１にシャープな印象を与えることができる。
Ｌ１とＬ６との関係から直達日射が通過する太陽高度を求めると、Ｌ４側からは２８度（図１０中の「ｘ」の角度）、Ｌ５側からは２４度（図１０中の「ｙ」の角度）となる。すなわち、日の出後、日没前にそれぞれ２時間程度、太陽高度が低い時間帯にのみ直達日射が通過することになる。日の出後、日没前の２時間程度であれば、日中の気温が上がり始める前や夕方気温が下がり始めた後であるため、日中の暑い時間帯における日射に対して十分に遮蔽する機能を有していると言える。
また、例えば東京の冬季日中の太陽高度が３０度程度であることから、冬季において日射が完全に遮蔽される時間帯は数分程度しかない。したがって冬季の日射取得に対しても問題がなく、夏の日射遮蔽と冬に日射取得の両方を実現可能であると言える。
以上より、冷却効果を高めるために吸水面を広く確保するため、また夏期に日射を遮蔽するために吸水面をより広く確保することと、冬季の日射取得、威圧感の軽減、シャープなデザインという、相反する要求に対して、最適な部材の寸法が設定されている。
なお、本実施の形態では、開口率を３３％としたが、これに限られるものではない。例えば外構構造物１０が設置される地域や、外構部材１の形状に応じて適宜変更してもよい。ただし、夏季の日没前・日の出前の太陽高度や冬季日中の太陽高度等を考慮すれば、開口率３０％〜３６％程度の範囲内で設定することが好ましい。より詳細には、外構構造物１０を設置する前に、外構構造物１０が設置される地域の時間帯ごとの太陽高度を求め、その太陽高度に基づいて、上下に隣り合う外構部材１，１間の間隔を適宜設定する。この際の間隔（開口率）が、３０％〜３６％程度の範囲内で設定されている。
【００６６】
続いて、図１に示す外構部材１のうち、本実施の形態のルーバー装置１０に採用されなかった外構部材１について説明する。
なお、本実施の形態のルーバー装置１０に採用される外構部材１は、図１（ａ）に示すものに限られるものではなく、図１（ｂ）〜（ｄ）に示すものを採用してもよいし、本発明の趣旨を逸脱しない範囲のものであれば適宜採用してもよい。
【００６７】
図１（ｂ）に示す外構部材１（以下、外構部材１Ｂ）は、上面部５（以下、上面部５Ｂ）が真っ直ぐに傾斜して形成され、折り返し部６（以下、折り返し部６Ｂ）がカーブ状に形成され、接続部７（以下、接続部７Ｂ）が真っ直ぐに傾斜して形成されている。
図１（ｃ）に示す外構部材１（以下、外構部材１Ｃ）は、上面部５（以下、上面部５Ｃ）が真っ直ぐに傾斜して形成され、折り返し部６（以下、折り返し部６Ｃ）および接続部７（以下、接続部７Ｃ）も真っ直ぐに傾斜して形成されている。ただし、接続部７Ｃの上端部は、上面部５の基端部のうち、上面部５中央にやや寄った位置に配置されている。
図１（ｄ）に示す外構部材１（以下、外構部材１Ｄ）は、上面部５（以下、上面部５Ｄ）が真っ直ぐに傾斜して形成され、折り返し部６（以下、折り返し部６Ｄ）も真っ直ぐに傾斜して形成されている。そして、接続部７（以下、接続部７Ｄ）は、複数の角を有するように形成されている。
【００６８】
各外構部材１Ｂ，１Ｃ，１Ｄにおける各接続部７Ｂ，７Ｃ，７Ｄの場合、図１（ａ）に示す外構部材１における接続部７とは異なり、垂直面１５に対する接触面積が極めて小さい。
このような場合には、垂直面１５の表面に、各接続部７Ｂ，７Ｃ，７Ｄの形状に対応する補助ブラケット１５ｂ，１５ｃ，１５ｄを取り付けて、この補助ブラケット１５ｂ，１５ｃ，１５ｄに対して各接続部７Ｂ，７Ｃ，７Ｄを固定すればよい。
【００６９】
以上のような外構構造物であるルーバー装置１０は、図４〜図７に示すように、地面等の平坦面４０に敷かれたシート状の養生材４１の上で組立作業を行う。この時、複数の外構部材１は予めパネル化されたものＰ１，Ｐ２を用いる。また、支柱１１に対しても、予めブラケット１２の第二部材１４を断続的に取り付けておく。
まず、パネルＰ１，Ｐ２を、最上部に位置する外構部材１を含むパネルＰ１が最上部に位置するようにして順番に並べる。
続いて、順番に並べられたパネルＰ１，Ｐ２において一直線状に並ぶ複数の第一部材１３の凹部（中央板部１３ａと両側板部１３ｂとによって囲まれる空間）に、給水管１７を配置する。また、最上部に位置する外構部材１には、開口部２ａから潅水用チューブ１７ａを挿入し、この潅水用チューブ１７ａと給水管１７とを繋げる。
続いて、第二部材１４を、第一部材１３の凹部に嵌合するようにして、第一部材１３と第二部材１４とを組み合わせる。
この時、第二部材１４の両側板部１４ｂにおける外側面と、第一部材１３の両側板部１３ｂにおける内側面とが重なり合うので、これら重なり合う両側板部１３ｂ，１４ｂ同士をビス止めする。
全ての第一部材１３と第二部材１４とをビス留めすると、ルーバー装置１０の組立作業が完了する。
【００７０】
次に、外構構造物であるルーバー装置１０の設置構造について説明する。
ルーバー装置１０は、図８，図９に示すように、住宅等の建物２０，３０が建築される敷地Ｓ１，Ｓ２内に設置されている。
【００７１】
まず、図８に示す敷地Ｓ１内には、建物２０に隣接するテラス２１が配置されている。そして、このテラス２１の外側縁部に沿って外構構造物であるルーバー装置１０が設置されている。すなわち、ルーバー装置１０は、建物２０の外壁から離間して配置されている。このように配置された外構構造物と外壁との間は、周囲よりも温度を低くすることが可能なクールスポットとされている。つまり、テラス２１がクールスポットとされている。
図８に示す敷地Ｓ１内に設置されるルーバー装置１０は、図３に示すような平面視においてＬ字状となるように、複数のルーバー装置１０を、互いに直交する方向に配置したものである。より詳細には、テラス２１の南東側のコーナーに沿って二つのルーバー装置１０が配置されている。
なお、これらルーバー装置１０の地面付近には、適宜、植栽を行ってもよい。
【００７２】
建物２０は、玄関部２２と、居室２３と、トイレ２４と、階段２５と、水廻り室２６と、居室２７と、を備える。
玄関部２２は、建物２０の一階西側に配置されており、玄関ポーチや玄関土間、玄関ホールを含んで構成されている。
居室２３は、玄関部２２の東側に配置されており、リビングルーム（Ｌ）とダイニングルーム（Ｄ）とキッチンルーム（Ｋ）の機能を併存させた部屋である。
トイレ２４は、居室２３の北側部分（ダイニングルーム・キッチンルーム側）のさらに東側に配置されている。
階段２５は、トイレ２４の東側に配置されており、図示はしないが、トイレ２４の上方に回り込むようにして建物の二階まで設けられている。すなわち、トイレ２４と階段２５とで階段室を形成している。
水廻り室２６は、階段２５の東側に配置されており、洗面脱衣室と浴室を含んで構成されている。
居室２７は、トイレ２４と階段２５と水廻り室２６の南側に配置されており、和室として構成されている。
なお、隣接する各部屋は出入口を介して出入り自在とされている。また、出入口には、この出入口を開閉する建具が適宜設けられ、必要に応じて建具によって出入口の開閉が行われる。建物２０内の換気を行いたい場合には、出入口を適宜開放させる。
【００７３】
クールスポットであるテラス２１は、居室２３の南側部分（リビングルーム側）の東側であって、かつ、和室である居室２７の南側に配置されている。
また、このテラス２１は、保水性能を有する保水床部２１ａを備える。当該保水床部２１ａは、保水性能を有する保水材からなる。
このような保水材としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリートを固めたものが採用されている。
また、この他に、アスファルトを骨材同士の結合材として用いて固めたものも挙げられる。すなわち、保水性能および透水性能を有するものであればよい。
【００７４】
居室２３のうちテラス２１に面する壁に建具付き窓等の開口部２３ａが形成されている。複数のルーバー装置１０のうち一方は、当該開口部２３ａに対向して設置されている。
また、居室２３には、その他にも建具付き窓等の開口部２３ｂ〜２３ｅが設けられている。
開口部２３ｂは、南に面する掃き出し窓であり、テラス２１側の開口部２３ａと直交方向に配置されている。
開口部２３ｃは、居室２３の北面の壁に形成され、居室２３における北側部分のキッチンルームに面する。
開口部２３ｄは、居室２３の西面の壁に形成され、居室２３における北側部分のキッチンルームに面する。
開口部２３ｅは、居室２３の西面の壁に形成され、居室２３における中央部分のダイニングルームに面する。
【００７５】
和室である居室２７のうちテラス２１に面する壁に開口部２７ａが形成されている。また、居室２７には、他の部屋との間に出入口があり、当該出入口を開閉して換気の調整を行うことができる。
そして、複数のルーバー装置１０のうち他方は、当該居室２７の開口部２７ａに対向して設置されている。
【００７６】
また、建物２０は、テラス２１の上方に位置し、当該テラス２１への日射を遮蔽するための日覆い部２８を備える。
本実施の形態における日覆い部２８は、建物２０の上階から張り出すバルコニーとされている。すなわち、テラス２１は、上方をバルコニー２８によって覆われ、側方周囲を部分的にルーバー装置１０によって囲まれた状態となっている。
なお、日覆い部２８は、本実施の形態ではバルコニーとされたが、これに限られるものではなく、例えば建物２０の外壁から張り出す庇やオーニング等でもよい。また、建物の上階が張り出して設けられる、所謂オーバーハング部であってもよい。
【００７７】
このような図８に示す建物２０の場合、ルーバー装置１０に対して潅水し、複数の外構部材１に吸水させた状態にすれば、複数の外構部材１間の隙間を通過する空気は冷却される。そして、このような空気の冷却効果を、クールスポットであるテラス２１にも行き渡らせることができる。
さらに、日覆い部であるバルコニー２８によって、ルーバー装置１０の冷却効果によって気温が低下したテラス２１の温度上昇を抑えることができる。
さらに、テラス２１の保水床部２１ａによる空気の冷却効果を得ることができ、当該テラス２１の気温を低下させることができる。
そして、このようなテラス２１の冷たい空気を、居室２３の開口部２３ａから取り入れて、居室２３の北側に設けられた他の開口部２３ｃ，２３ｄ，２３ｅ側に流通させることができる。また、南面の掃き出し窓である開口部２３ｂから取り入れた風を利用して、居室２３内に流入した冷たい空気を、北側に送るようにしてもよい。
また、テラス２１の冷たい空気を、和室である居室２７の開口部２７ａから取り入れ、各出入口を介して他の部屋へと流通させることができる。例えば、出入口と対向して配置される階段２５側に流通させれば、他の階にも冷たい空気を送ることができるので好ましい。また、居室２３側に流通させれば、開口部２３ａと共に居室２３に対して冷たい空気を多く取り入れることができる。
【００７８】
一方、図９に示す敷地Ｓ２内には、建物３０に隣接する坪庭３１が設けられている。そして、この坪庭３１の外側縁部に沿って外構構造物であるルーバー装置１０が設置されている。すなわち、ルーバー装置１０は、建物３０の外壁から離間して配置されている。このように配置された外構構造物と外壁との間は、周囲よりも温度を低くすることが可能なクールスポットとされている。つまり、坪庭３１がクールスポットとされている。
図９に示す敷地Ｓ２内に設置されるルーバー装置１０は、図３に示すような、複数のルーバー装置１０を、平面視においてＬ字状となるように、互いに直交する方向に配置したものである。より詳細には、坪庭３１の南西側のコーナーに沿って二つのルーバー装置１０が配置されている。
なお、これらルーバー装置１０の地面付近には、適宜、植栽を行ってもよい。
【００７９】
建物３０は、玄関部３２と、居室３３と、トイレ３４と、階段３５と、水廻り室３６と、居室３７と、を備える。
玄関部３２は、建物３０の一階南東側に配置されており、玄関ポーチや玄関土間、玄関ホールを含んで構成されている。
居室３３は、玄関部３２の西側から北側にかけて配置されており、リビングルーム（Ｌ）とダイニングルーム（Ｄ）とキッチンルーム（Ｋ）と廊下の機能を併存させた部屋である。また、その南側部分（リビングルーム）の南面には、掃き出し窓である開口部３３ａが設けられている。
トイレ３４は、建物３０の北西側であって、かつ居室３３（キッチンルーム）の西側に配置されている。
階段３５は、トイレ３４の南側に配置されており、図示はしないが、トイレ３４の上方に回り込むようにして建物の二階まで設けられている。すなわち、トイレ３４と階段３５とで階段室を形成している。
水廻り室３６は、階段３５の南側に配置されており、洗面脱衣室と浴室を含んで構成されている。
居室３７は、水廻り室３６の東側であって、かつ居室３３の西側に配置されており、和室として構成されている。
なお、隣接する各部屋（隣接する水廻り室３６と居室３７を除く）は出入口を介して出入り自在とされている。また、出入口には、この出入口を開閉する建具が適宜設けられ、必要に応じて建具によって出入口の開閉が行われる。建物３０内の換気を行いたい場合には、出入口を適宜開放させる。
【００８０】
クールスポットである坪庭３１は、水廻り室３６の南側であって、かつ和室である居室２７の西側に配置されている。
和室である居室３７のうち坪庭３１に面する壁に開口部３７ａが形成されている。この開口部３７ａは、居室３７の床付近に設けられる地窓である。
また、居室３７には、居室３３（リビングルーム）との間に出入口があり、当該出入口を開閉して換気の調整を行うことができる。
そして、複数のルーバー装置１０のうち一方が、当該居室３７の開口部３７ａに対向して設置されている。
【００８１】
なお、図９に示す建物３０の場合は、坪庭３１の上方に位置する日覆い部を備えておらず、坪庭３１にも保水性能を有する保水床部を備えていないが、これに限られるものではない。必要に応じて、図８に示す例の説明で挙げたような日覆い部や保水床部を採用してもよい。
【００８２】
このような図９に示す建物３０の場合、ルーバー装置１０に対して潅水し、複数の外構部材１に吸水させた状態にすれば、複数の外構部材１間の隙間を通過する空気は冷却される。そして、このような空気の冷却効果を、クールスポットである坪庭３１にも行き渡らせることができる。
そして、このような坪庭３１の冷たい空気を、居室３７の開口部（地窓）３７ａから取り入れて、居室３７内から出入口を介して居室３３側に流通させることができる。また、居室３３に流入した冷たい空気を、居室３３の南面の掃き出し窓である開口部３３ａから取り入れた風に乗せて、北側に送るようにしてもよい。
【００８３】
本実施の形態によれば、多孔質材は多数の細孔があり、表面張力が大きく、かつ吸水性を有するので、多孔質材層４に水が供給された場合に、この多孔質材層４に水を十分に含ませることができる。これによって、多孔質材層４に含まれた水の気化熱を利用して、外構部材１の表面、延いては外構構造物１０の周囲における気温を低下させることができる。
また、多孔質材層４に水を供給すれば、毛細管現象により水の拡散性を向上することができる。これによって、多孔質材層４を少量の水で効率良く濡らすことができるので、水の節約や省エネルギーに貢献できる。
また、例えば基材２が耐水性の低い製品であったとしても、この基材２の耐水性に関わりなく、多孔質材層４に水を供給することができ、冷却効果を発揮させることができる。そして、このように外構部材１の表面性状を変えるだけで保水性を向上できるので、基材２自体の構造強度や耐久性は維持される。
また、上面部５は、垂直面１５に対して一定の角度で前方へ傾斜しているので、上面部５にある水は、その傾斜方向の先端部（下端部：垂直面１５とは反対側の端部）側へと流れる。さらに、折り返し部６は、上面部５の先端部から上面部５の下方側に折り返しているので、上面部５を流れる水を折り返し部６に伝わせて下方に流し、当該折り返し部６の下端部から滴下させることができる。これによって、上方の外構部材１の上面部５を流れる水を、下方の外構部材１の上面部５へと確実に滴下させることができるので、外構構造物１０を構成する複数の外構部材１全体に上から順番に水を供給することができる。
また、接続部７は、上面部５の基端部（垂直面１５側の端部）と折り返し部６の折り返し方向先端部（垂直面１５側の端部）とを接続するとともに垂直面１５に取り付けられているので、外構部材１を垂直面１５に確実に取り付けることができる。
そして、外構部材１自体の奥行寸法Ｌ１に対する折り返し部６の奥行寸法Ｌ２の割合は、外構部材１自体の奥行寸法Ｌ１に対する接続部７の奥行寸法Ｌ３の割合よりも大きく設定されているので、折り返し部６の面積を広く確保することができる。すなわち、広い面積の折り返し部６を吸水面とすることができるので、外構構造物１０の周囲における空気の冷却効果を高めることができる。
さらに、このように折り返し部６の面積を広く確保することができれば、吸水面を広く確保するために、例えば上面部５の奥行寸法Ｌ１を長くしたり、折り返し部６の上下寸法を長くしたりする必要が無い。したがって、外構部材１を正面から見た場合の上下方向の見付寸法Ｌ４が長くなることを抑え、威圧感をなくし、かつシャープな印象を与えることができる。また、一つ一つの外構部材１がシャープな印象を与えることができれば、外構構造物１０全体としてもシャープな印象を与えることができる。
【００８４】
また、複数の外構部材１のうち最上部に位置する外構部材１における基材２は中空状に形成され、その接続部７側面には、基材２内部に水を導入するための開口部２ａが形成されているので、最上部に位置する外構部材１における基材２の内部に水を供給できるとともに、水を導入するための開口部２ａを隠すことができ、見映えが良い。
【００８５】
また、複数の外構部材１を、ブラケット１２を介して支持部材１１に取り付けることができ、支持部材１１によって確実に支持できる。
また、ブラケット１２は、外構部材１に取り付けられる第一部材１３と、支持部材１１に取り付けられる第二部材１４と、が組み合わされることによって形成されているので、第一部材１３と第二部材１４とを分け離した状態にすれば給水管１７をセットしやすくなり、給水管１７を第一部材１３と第二部材１４のどちらかにセットした状態で、これら第一部材１３と第二部材１４とを組み合わせてブラケット１２を形成すれば、給水管１７を、ブラケット１２の内部に容易に通すことができる。また、ブラケット１２の内部に給水管１７を隠すことができ、見映えが良い。
【００８６】
また、上下に隣り合う外構部材同士の間隔を、下方の外構部材１の下端部と上方の外構部材１の下端部との間の距離Ｌ７に対して、所定の開口率に設定したので、散乱光が通過して明るさが確保できるとともに、外構部材を正面から見た場合に視線が抜けるようになる。また、その開口率次第では、確保できる明るさや視線の量を調節することができる。
さらに、上面部５の下方側に折り返す折り返し部６により、実際の開口率よりも開口部分が大きく感じられることから、該凹部材１の軽量感が増し、威圧感が軽減される。また先端部の形状から外構部材１にシャープな印象を与えることができる。
また、開口率次第ではあるが、夏期においては日の出後、日没前の太陽高度の低い時間帯を除く、日中の暑い時間帯における日射に対して十分に遮蔽する機能を有している。また、そのままの開口率の設定で、冬季においても日射が完全に遮蔽される時間帯を短時間に抑えることができる。したがって冬季の日射取得に対しても問題がなく、夏の日射遮蔽と冬に日射取得の両方を実現可能である。
したがって、外構構造物１０によって夏季の日射遮蔽と冷却効果を保つとともに、明るさの確保や威圧感の軽減、意匠性の向上についても要件を満たした外構構造物１０および外構構造物１０の設置構造を提供したいという要望に対して好適に対応できる。
このような要望についてより詳細に説明すると、従来の外構部材および外構構造物に対して、外構部材および外構構造物によって得られる冷却効果をより一層高めたいという要望があった。
そこで、冷却効果を高めるために吸水面を広く確保することが考えられるが、外構部材を単に大型化してしまうと冬季の日射取得が低下する、暗くなる、見栄えが悪くなる、という問題があった。
すなわち、上面部の奥行き寸法を長くしたり、側面部の上下寸法を長くしたりすると、散乱光も入らなくなるため暗くなる、冬季の日射を遮蔽してしまう、外構部材を正面から見た場合に視線が抜けない、上下方向の見付け寸法が長くなってしまいシャープさに欠ける等の問題がある。
このような問題等を鑑みて、上述のように上下に隣り合う外構部材１，１同士の間隔の開口率が設定されている。
【００８７】
また、外構構造物１０は、建物２０，３０の外壁から離間して配置されており、外構構造物１０と外壁との間は、周囲よりも温度を低くすることが可能なクールスポットとされているので、本実施の形態においてクールスポットであるテラス２１、坪庭３１は、外構構造物１０の冷却効果によって気温が低下した状態となり、夏期においてテラス２１、坪庭３１の快適性を向上させることができる。
【００８８】
また、建物２０は、クールスポットであるテラス２１の上方に位置し、当該テラス２１への日射を遮蔽するための日覆い部２８を備えるので、外構構造物１０の冷却効果によって気温が低下した当該テラス２１の温度上昇を抑えることができる。すなわち、テラス２１の気温を、外構構造物１０と日覆い部２８の相乗効果によって低下させることができる。
【００８９】
また、日覆い部２８は、建物２０の上階から張り出すバルコニーであるため、バルコニー２８と日覆い部２８としての二つの機能を有することになり、日覆い部としての一つの機能しか持たないものに比して都合が良く、無駄がない。
【００９０】
また、テラス２１は、保水性能を有する保水床部２１ａを備えるので、外構構造物１０だけでなく、保水床部２１ａによる空気の冷却効果を得ることができ、当該テラス２１の気温を低下させることができる。すなわち、テラス２１の気温を、外構構造物１０と保水床部２１ａの相乗効果によって低下させることができる。特に、図８に示す建物２０の例では、テラス２１は保水床部２１ａを備え、テラス２１の上方には日覆い部２８も設けられるので、その相乗効果は、より高いものとなる。
【００９１】
また、外構構造物１０は、建物２０，３０の開口部２３ａ，２７ａ，３７ａに対向して設置されているので、外構構造物１０の周囲における空気の冷却効果を、開口部２３ａ，２７ａ，３７ａを通じて建物２０，３０内にも行き渡らせることができる。これによって、特に夏場において自然換気を行う際に、冷えた空気が開口部２３ａ，２７ａ，３７ａを通じて建物２０，３０内に導入されるので、建物２０，３０内に快適な居住環境を形成することができる。
また、シャープな印象を与えることが可能な外構構造物１０が、開口部２３ａ，２７ａ，３７ａから見えることになるので、建物２０，３０内から外構構造物１０を見る人に対してもシャープな印象を与えることができる。
【符号の説明】
【００９２】
１，１Ｂ，１Ｃ，１Ｄ  外構部材
２  基材
３  接着層
４  多孔質材層
５，５Ｂ，５Ｃ，５Ｄ  上面部
６，６Ｂ，６Ｃ，６Ｄ  折り返し部
７，７Ｂ，７Ｃ，７Ｄ  接続部
１０  外構構造物（ルーバー装置）
１１  支持部材
１２  ブラケット
１３  第一部材
１４  第二部材
１５  垂直面
１７  給水管
２０  建物
２１  クールスポット（テラス）
２３  居室
２３ａ  開口部
２７  居室
２７ａ  開口部
２８  日覆い部
３０  建物
３１  クールスポット（坪庭）
３７  居室
３７ａ  開口部（地窓）
Ｌ１  奥行寸法
Ｌ２  奥行寸法
Ｌ３  奥行寸法
Ｌ４  見付寸法
Ｐ１  パネル
Ｐ２  パネル
Ｓ１  敷地
Ｓ２  敷地
【図１】
0006530209.tif 000002
【図２】
0006530209.tif 000003
【図３】
0006530209.tif 000004
【図４】
0006530209.tif 000005
【図５】
0006530209.tif 000006
【図６】
0006530209.tif 000007
【図７】
0006530209.tif 000008
【図８】
0006530209.tif 000009
【図９】
0006530209.tif 000010
【図１０】
0006530209.tif 000011